(57)【特許請求の範囲】
【請求項１】
外箱と内箱との間に形成された断熱空間に断熱材を充填した冷蔵庫本体と、前記冷蔵庫本体に形成された機械室と、前記機械室に配設された圧縮機及び凝縮器と、前記圧縮機から吐出された冷媒が流れる冷媒パイプとを備え、
前記冷媒パイプは、外箱後板の外側に配された第１パイプと前記外箱後板の断熱空間側に配された第２パイプとを有し、
前記第１パイプと前記第２パイプとが、１つの固定具によって前記外箱後板に固定されていることを特徴とする冷蔵庫。
【請求項２】
前記固定具は、前記外箱後板の端部で折れ曲がり前記外箱後板を挟み込む形状をなしていることを特徴とする請求項１に記載の冷蔵庫。
【請求項３】
前記第１パイプと異なるパイプとを接続する接続部が前記機械室より上方に設けられていることを特徴とする請求項１又は２に記載の冷蔵庫。
【請求項４】
前記第１パイプは、前記圧縮機の出口パイプと前記凝縮器の入口パイプとに接続され、前記外箱後板の外側において上方に突出する第１折返し部を有し、前記第１折返し部に前記第１パイプと前記凝縮器の入口パイプとを接続する第１接続部が設けられ、
前記第２パイプは、前記凝縮器の出口パイプに接続され、外箱底板から前記断熱空間に進入し前記外箱後板の断熱空間側に配設され、前記機械室において下方に突出する第２折返し部を有し、前記第２折返し部に前記第２パイプと前記凝縮器の出口パイプとを接続する第２接続部が設けられ、
前記第１接続部と前記第２接続部とが、冷蔵庫幅方向に近接して配置されていることを特徴とする請求項３に記載の冷蔵庫。
【請求項５】
前記固定具は、前記外箱後板を介して前記外箱に設けられた補強用アングルに固定されていることを特徴とする請求項１〜４のいずれか１項に記載の冷蔵庫。
【発明の詳細な説明】
【技術分野】
【０００１】
本発明の実施形態は、冷蔵庫に関する。
【背景技術】
【０００２】
従来より、冷蔵庫では、外箱と内箱との間に形成された断熱空間に断熱材を充填した冷蔵庫本体の背面下部に機械室を設け、この機械室内には、冷媒を循環させる冷凍サイクルの一環を成す圧縮機や凝縮器、流路切換弁やこれらと庫内を連結する種々の配管、さらには蒸発皿や空冷ファン、電装部品など多くの装置部品が収納配置されている。
【０００３】
圧縮機には、圧縮機から吐出された高温の冷媒を流す冷媒パイプが接続されている。冷媒パイプは、蒸発皿に貯水された除霜水に浸漬するように配置された後、凝縮器の入口パイプに接続される。凝縮器の出口パイプに接続された冷媒パイプは、冷蔵庫本体を構成する外箱底板から冷蔵庫本体の断熱空間へ進入し外箱後板の断熱空間側に沿って配設されている。
【０００４】
このような構成の冷蔵庫では、圧縮機の駆動により生じる振動や、圧縮機から吐出される冷媒の圧力の脈動により冷媒パイプが振動するため、冷媒パイプを固定具で冷蔵庫本体に固定することにより周囲の部品への接触を防止している（例えば、下記特許文献１、２参照）。
【先行技術文献】
【特許文献】
【０００５】
【特許文献１】特開２００２−８１８５１号公報
【特許文献２】特開２０００−３４６５３０号公報
【発明の概要】
【発明が解決しようとする課題】
【０００６】
しかしながら、冷媒パイプを流れる冷媒の熱によって蒸発皿に貯水された除霜水を効率的に蒸発させるため、冷媒パイプは機械室内にできるだけ長く配設されることが好ましいが、冷媒パイプや周囲の部品とが干渉しないように互いに間隔を確保しつつ機械室内に冷媒パイプを配設しようとすると機械室内に冷媒パイプを効率よく配設しにくくなる。
【０００７】
そこで、本発明は、冷媒パイプと周囲の部品とが干渉しないように互いに間隔を確保しつつ、冷媒パイプを機械室内に効率よく配設することができる冷蔵庫を提供することを目的とする。
【課題を解決するための手段】
【０００８】
本発明の実施形態に係る冷蔵庫は、外箱と内箱との間に形成された断熱空間に断熱材を充填した冷蔵庫本体と、前記冷蔵庫本体に形成された機械室と、前記機械室に配設された圧縮機及び凝縮器と、前記圧縮機から吐出された冷媒が流れる冷媒パイプとを備え、前記冷媒パイプは、外箱後板の外側に配された第１パイプと前記外箱後板の断熱空間側に配された第２パイプとを有し、前記第１パイプと前記第２パイプとが、１つの固定具によって前記外箱後板に固定されていることを特徴とする。
【図面の簡単な説明】
【０００９】
【図１】本発明の一実施形態に係る冷蔵庫の断面図である。
【図２】図１の冷蔵庫の冷凍サイクルを示す図である。
【図３】図１に示す冷蔵庫の機械室部分の斜視図である。
【図４】図３の要部を拡大して示す斜視図である。
【図５】図４のＡ−Ａ断面図である。
【図６】固定具の斜視図である。
【図７】図４のＢ−Ｂ断面図である。
【図８】図７のＣ−Ｃ断面図である。
【発明を実施するための形態】
【００１０】
以下、図面に基づき本発明の１実施形態について説明する。
【００１１】
本発明の一実施形態に係る冷蔵庫１０は、図１に示すように、外郭を形成する外箱１２ａと貯蔵空間を形成する内箱１２ｂとの間に形成された断熱空間１２ｃに発泡断熱材を充填した断熱箱体からなる冷蔵庫本体１２を備え、貯蔵空間を断熱仕切壁１４によって上方の冷蔵空間２０と下方の冷凍空間４０とに区画している。
【００１２】
冷蔵空間２０は、さらに仕切体２１によって上下に区画され、上部空間に複数段の載置棚を設けた冷蔵室２２が設けられ、下部空間に上下２段に設けられた容器２６を配置する野菜室２４が設けられている。
【００１３】
冷蔵室２２の開口部は、冷蔵庫本体１２の一側部の上下に設けられたヒンジにより回動自在に枢支された冷蔵室扉２３により閉塞されている。野菜室２４の開口部は、引き出し式の野菜室扉２５により閉塞されている。野菜室扉２５の裏面側には、容器２６を保持する左右一対の支持枠が固着されており、開扉動作とともに容器２６が庫外に引き出されるように構成されている。
【００１４】
野菜室２４の下方に断熱仕切壁１４を介して配置された冷凍空間４０には、自動製氷装置を備えた製氷室（不図示）と第１冷凍室４４を左右に併設しており、その下方には第２冷凍室４６が設けられている。
【００１５】
製氷室、第１冷凍室４４、及び第２冷凍室４６の開口部も、野菜室２４と同様、引き出し式の扉４５，４７により閉塞され、各扉４５，４７の裏面側に固着した左右一対の支持枠に収納容器が保持されており、開扉動作とともに該収納容器が庫外に引き出されるように構成されている。
【００１６】
そして、冷蔵空間２０の後部には、冷蔵空間２０内の空気を冷却する冷蔵用冷却器５２と、冷蔵用冷却器５２で冷却された冷気を冷蔵室２２及び野菜室２４へ送風する冷蔵用ファン５３が設けられている。また、冷凍空間４０の後部には、冷凍空間４０内の空気を冷却する冷凍用冷却器５４と、冷凍用冷却器５４で冷却された冷気を製氷室、第１冷凍室４４及び第２冷凍室へ送風する冷凍用ファン５５が設けられている。冷蔵用冷却器５２及び冷凍用冷却器５４は、冷蔵庫本体１２の背面下部に設けられた機械室３０内部に収納された圧縮機５１から供給される冷媒によって冷却される。
【００１７】
冷蔵庫１０の冷凍サイクル５０は、図２に示すように、高温高圧のガス状の冷媒を吐出する圧縮機５１と、圧縮機５１から吐出されるガス状の冷媒を受けて放熱液化する凝縮器５６と、凝縮器５６の出口側に設けられて冷媒流路を切り替える切替弁５７と、冷蔵用冷却器５２及び冷凍用冷却器５４と、これら冷却器５２，５４のための絞り手段としての冷蔵用減圧装置５８及び冷凍用減圧装置５９と、逆止弁６０とを備え、これらを接続パイプ６１や放熱パイプ６２や吸込パイプ６５など冷媒パイプで接続し、圧縮機５１から吐出される冷媒を循環させる。
【００１８】
詳細には、圧縮機５１の出口パイプ５１ａと凝縮器５６の入口パイプ５６ｂとが接続パイプ６１で接続され、凝縮器５６の出口パイプ５６ａと切替弁５７の入口とが放熱パイプ６２で接続されており、圧縮機５１と凝縮器５６と切替弁５７とが直列に接続されている。切替弁５７の一方の出口には、冷蔵用減圧装置５８と冷蔵用冷却器５２とが直列に接続され、切替弁５７の他方の出口には、冷凍用減圧装置５９と冷凍用冷却器５４と逆止弁６０とが直列に接続されている。そして、逆止弁６０の出口側に接続された配管と冷蔵用蒸発器５の出口側に接続された配管とを合流する吸込パイプ６５が圧縮機５１の入口パイプ５１ｂに接続されている。
【００１９】
図１、図３〜図５に示すように、冷蔵庫本体１２の外箱１２ａの底板（外箱底板）１２ａ１の後部には、後方に行くほど上方に高くなる傾斜面３１ａと、この傾斜面３１ａの後端から水平に延びる水平面３１ｂとが設けられ、これにより、冷蔵庫本体１２の背面下部に第２冷凍室４６に突出形成された段部３１が冷蔵庫のほぼ全幅にわたって設けられている。
【００２０】
段部３１の下方には、機械室３０が形成され、機械室３０の底部に機械室幅方向にわたってコンプ台３２が設けられている。このコンプ台３２の上には、クッション体を介して圧縮機５１が機械室幅方向の一方側に寄せて配設され、他方側に冷却ファン３３、凝縮器５６、及び除霜水を蒸発させる蒸発皿３４などが配設されている。機械室３０の背面は、外箱１２ａの後板（外箱後板）１２ａ２に取り付けられた背面グリル３９によって覆われている（図１参照）。
【００２１】
図５に示すように、冷却ファン３３は、段部３１において機械室３０の前面を区画する外箱底板１２ａ１に設けられた傾斜面３１ａと所定の間隔をあけて対向配置されたファンケース３５に取り付けられており、冷却ファン３３の軸流が機械室３０の前方から後方に向くように配置されている。
【００２２】
冷却ファン３３を取り付けたファンケース３５と外箱底板１２ａ１の傾斜面３１ａとの間には、ダクト形成板３６が傾斜面３１ａに沿ってほぼ平行に設けられている。ダクト形成板３６は、その下端部がコンプ台３２に固定され、上端部が冷却ファン３３の前方で終端しており、傾斜面３１ａとの間に吸気ダクト３７を形成する。
【００２３】
吸気ダクト３７の下端部はコンプ台３２に穿設された吸気口３８に連通し、冷却ファン３３の動作に伴って吸気口３８から吸い込まれた外気は、吸気ダクト３７内を通って前方から冷却ファン３３に吸い込まれ機械室３０の後方へ向けて吹き出す。
【００２４】
吸気ダクト３７内には上端部を冷却ファン３３に対向させて凝縮器５６が配置されており、吸気口３８から吸い込まれた吸気ダクト３７を流通する外気との熱交換により凝縮器５６が冷却される。
【００２５】
コンプ台３２上には、冷却ファン３３の下方位置から機械室３０の後部まで冷蔵用冷却器５２及び冷凍用冷却器５４からの除霜水を貯水する蒸発皿３４が配設されている。この蒸発皿３４の内部には、圧縮機５１の出口パイプ５１ａに接続された接続パイプ６１の一部が、蒸発皿３４に貯留した除霜水に浸漬するように屈曲して配置され蒸発パイプを構成しており、接続パイプ６１内を流れる冷媒の熱によって該除霜水の蒸発を促進するようになっている。
【００２６】
また、蒸発皿３４内部から出た接続パイプ６１は、冷却ファン３３の後方において上方に延び、上方から下方に折り返され上方に突出するように形成された折返し部６１ａを有している。この折返し部６１ａの下流側には、凝縮器５６の入口パイプ５６ｂがロウ付けなどにより接続される第１接続部６３が設けられている。
【００２７】
凝縮器５６の入口パイプ５６ｂは、凝縮器５６の入口部分に接続されたパイプであり、外箱底板１２ａ１の下面に沿って前後方向に延び、後端部が上方に屈曲して接続パイプ６１の折返し部６１ａに設けられた第１接続部６３に接続される。
【００２８】
凝縮器５６の出口部分に接続された出口パイプ５６ａは、外箱底板１２ａ１の下面に沿って機械室３０の後方に向かって冷却ファン３３の後方まで延び、後端部が下方に向けて屈曲して放熱パイプ６２の第２接続部６４にロウ付けなどにより接続されている。
【００２９】
凝縮器５６の出口パイプ５６ａが接続される第２接続部６４は、放熱パイプ６２において下方から上方に折り返され下方に突出する折返し部６２ａに設けられている。
【００３０】
折返し部６２ａから上方に延びる放熱パイプ６２は、外箱底板１２ａ１を貫通して外箱１２ａと内箱１２ｂとの間に形成された断熱空間１２ｃに進入する。断熱空間１２ｃに進入した放熱パイプ６２は、外箱後板１２ａ２の内側（つまり、断熱空間側）に沿って上方に向けて配設され、その後、外箱後板１２ａ２や外箱側板などの外箱１２ａの断熱空間側に沿って上下に蛇行して配設される。
【００３１】
そして、放熱パイプ６２は、外箱１２ａの断熱空間側に沿って配設された後、外箱底板１２ａ１を貫通して、機械室３０に戻り切替弁５７の入口側に接続される。このように外箱１２ａの断熱空間側に配設された放熱パイプ６２により、放熱パイプ６２を流れる冷媒が放熱して凝縮（冷却）するとともに、外箱１２ａの外面への結露を防止する。
【００３２】
上記構成の冷蔵庫１０において、ファンケース３５の前方に配置された凝縮器５６と、ファンケース３５の後方に配置された接続パイプ６１及び放熱パイプ６２を接続するため、凝縮器５６から延びる入口パイプ５６ｂ及び出口パイプ５６ａが、ファンケース３５に設けた貫通孔（不図示）を通ってファンケース３５の後方まで延びている。その際、１つの貫通孔によってファンケース３５の前方から後方へ凝縮器５６の入口パイプ５６ｂ及び出口パイプ５６ａを配管するため、接続パイプ６１の折返し部６１ａと放熱パイプ６２の折返し部６２ａとが冷蔵庫幅方向に近接して配置され、折返し部６１ａ及び折返し部６２ａに設けられた第１接続部６３及び第２接続部６４とが冷蔵庫幅方向に近接して配置されている。
【００３３】
そして、外箱後板１２ａ２の外側に配設された接続パイプ６１の折返し部６１ａと、放熱パイプ６２の折返し部６２ａから上方に延びて外箱底板１２ａ１から断熱空間１２ｃに進入し外箱後板１２ａ２の断熱空間側に配設された放熱パイプ６２とが、１つの固定具８０によって外箱後板１２ａ２に固定されている。
【００３４】
詳細には、固定具８０は、図６〜図８に示すように、接続パイプ６１の折返し部６１ａが固定される外板部８２と、放熱パイプ６２が固定される内板部８４と、外板部８２と内板部８４とを回動可能に連結するヒンジ部８６と、外板部８２から前方に向けて突出する係止部８８とを備える。
【００３５】
固定具８０は、外箱後板１２ａ２に設けられた取付穴１３に係止部８８が挿入され、係止部８８を設けた外板部８２の板面が外箱後板１２ａ２の外側に付着し、ヒンジ部８６によって外箱後板１２ａ２の下端部で折れ曲がり内板部８４が外箱後板１２ａ２の断熱空間側に付着するように外箱後板１２ａ２に取り付けられる。
【００３６】
外板部８２は、外箱後板１２ａ２と共に外箱１２ａの断熱空間側に設けられた補強アングル１５にネジ８９によって固定されている。このネジ８９には、クリップ９０が外板部８２に共締めされており、折返し部６１ａがクリップ９０に保持されることにより外板部８２を介して外箱後板１２ａ２の外側に固定される。
【００３７】
内板部８４は、取付穴１３を通って外箱後板１２ａ２の外方から断熱空間１２ｃへ突出する係止部８８に係止することにより、外板部８２と内板部８４とが外箱後板１２ａ２を挟み込んだ状態で、固定具８０が外箱後板１２ａ２に固定される。内板部８４には、上下方向に延びる保持溝９２が外箱後板１２ａ２に向けて陥没形成されている。保持溝９２に放熱パイプ６２が嵌入されることで内板部８４を介して外箱後板１２ａ２の断熱空間側に固定される。
【００３８】
以上のように、本実施形態の冷蔵庫１０では、接続パイプ６１と放熱パイプ６２とを１つの固定具８０によって外箱後板１２ａ２の外側及び断熱空間側に配設固定することができるため、冷媒パイプと周囲の部品とが干渉しないように互いに間隔を確保しつつ、冷媒パイプを機械室３０内に効率よく配設することができる。
【００３９】
しかも、固定具８０は、外箱後板１２ａ２の外側に配設される外板部８２と外箱後板１２ａ２の断熱空間側に配設される内板部８４とが回動可能にヒンジ部８６によって回動可能に連結され、外箱後板１２ａ２の端部で折れ曲がり外箱後板１２ａ２を挟み込む形状をなしている。そのため、外箱後板１２ａ２を特殊形状に変形することなく、外箱後板１２ａ２に固定具８０を取り付けることができ、組み立て作業性を向上させることができる。
【００４０】
また、本実施形態の冷蔵庫１０では、接続パイプ６１と凝縮器５６の入口パイプ５６ｂとを接続する第１接続部６３と、放熱パイプ６２と凝縮器５６の出口パイプ５６ａとを接続する第２接続部６４とが冷蔵庫幅方向に近接して配置されておりパイプ接続作業がしやすい。
【００４１】
また、本実施形態の冷蔵庫１０では、外板部８２が外箱後板１２ａ２と共に外箱１２ａの断熱空間側に設けられた補強アングル１５にネジ８９によりネジ留めされているため、
部品点数の増加を抑えながら固定具８０を外箱１２ａに確実に固定することができる。
【符号の説明】
【００４２】
１０…冷蔵庫          １２…冷蔵庫本体          １２ａ…外箱
１２ａ…外箱底板      １２ａ…外箱後板          １２ｂ…内箱
１２ｃ…断熱空間      １３…取付穴              １５…補強アングル
２０…冷蔵空間        ２２…冷蔵室              ２４…野菜室
３１…段部            ３１ａ…傾斜面            ３１ｂ…水平面
３２…コンプ台        ３３…冷却ファン          ３４…蒸発皿
３５…ファンケース    ４０…冷凍空間            ４４…第１冷凍室
４６…第２冷凍室      ５０…冷凍サイクル        ５１…圧縮機
５１ａ…出口パイプ    ５１ｂ…入口パイプ        ５２…冷蔵用冷却器
５３…冷蔵用ファン    ５４…冷凍用冷却器        ５５…冷凍用ファン
５６…凝縮器          ５６ａ…出口パイプ        ５６ｂ…入口パイプ
５７…切替弁          ６１…接続パイプ          ６１ａ…折返し部
６２…放熱パイプ      ６２ａ…折返し部          ６３…第１接続部
６４…第２接続部      ８０…固定具              ８２…外板部
８４…内板部          ８６…ヒンジ部            ８８…係止部
８９…ネジ            ９０…クリップ            ９２…保持溝
【図１】
0005514037.tif 000002
【図２】
0005514037.tif 000003
【図３】
0005514037.tif 000004
【図４】
0005514037.tif 000005
【図５】
0005514037.tif 000006
【図６】
0005514037.tif 000007
【図７】
0005514037.tif 000008
【図８】
0005514037.tif 000009